(57)【要約】【課題】印刷済みの媒体が逆回転している排出ローラ対に巻き込まれることを抑制する。【解決手段】印刷された媒体を積載するとともに、両面印刷の際に片面が印刷された媒体を一時退避させる収容部と、両面印刷の際に、前記片面が印刷された媒体の前記収容部へ搬送する方向の後端部を挟持した状態で搬送を止め、前記片面が印刷された媒体を前記収容部に一時退避させてから逆回転して搬送する搬送手段と、前記搬送手段が逆回転するときに前記収容部に積載された媒体と前記片面が印刷された媒体との間に突き出る突出部とを備える。【選択図】        図６
2015105155.tif 000002
【特許請求の範囲】
【請求項１】
印刷された媒体を積載するとともに、両面印刷の際に片面が印刷された媒体を一時退避させる収容部と、
両面印刷の際に、前記片面が印刷された媒体の前記収容部へ搬送する方向の後端部を挟持した状態で搬送を止め、前記片面が印刷された媒体を前記収容部に一時退避させてから逆回転して搬送する搬送手段と、
前記搬送手段が逆回転するときに前記収容部に積載された媒体と前記片面が印刷された媒体との間に突き出る突出部とを備えることを特徴とする画像形成装置。
【請求項２】
前記搬送手段が逆回転して前記片面が印刷された媒体を搬送する経路である反転搬送路と、
前記搬送手段が逆回転すると同時に前記片面が印刷された媒体を前記反転搬送路に誘導する位置に切り替わる搬送切り替え部と、
前記搬送切り替え部を切り替える駆動手段を備え、
前記突出部は、前記駆動手段が前記搬送切り替え部を切り替える駆動に連動して突き出ることを特徴とする請求項１に記載の画像形成装置。
【請求項３】
前記駆動手段に取り付けられたラック部材と、
前記ラック部材と噛合するピニオン部材とを備え、
一部にラックが形成されて前記ピニオン部材と噛合する前記突出部は、ラック・アンド・ピニオンの構成により前記駆動手段の前記切り替える駆動が伝達して連動することを特徴とする請求項２に記載の画像形成装置。
【請求項４】
一端が前記駆動手段に取り付けられ、他端が前記突出部に係合するリンク機構を備え、
前記突出部は、前記リンク機構により前記駆動手段の前記切り替える駆動が伝達して連動することを特徴とする請求項２に記載の画像形成装置。
【請求項５】
前記搬送手段を正逆回転させる回転駆動手段を備え、
前記突出部は、前記回転駆動手段が前記搬送手段を逆回転させる駆動に連動することを特徴とする請求項１に記載の画像形成装置。
【請求項６】
前記回転駆動手段に取り付けられたラック部材と、
前記ラック部材と噛合するピニオン部材とを備え、
一部にラックが形成されて前記ピニオン部材と噛合する前記突出部は、ラック・アンド・ピニオンの構成により前記回転駆動手段が前記搬送手段を前記逆回転させる駆動が伝達して連動することを特徴とする請求項５に記載の画像形成装置。
【請求項７】
一端が前記回転駆動手段に取り付けられ、他端が前記突出部に係合するリンク機構を備え、
前記突出部は、前記リンク機構により前記回転駆動手段が前記搬送手段を前記逆回転させる駆動が伝達して連動することを特徴とする請求項５に記載の画像形成装置。
【請求項８】
前記突出部の突き出す方向における先端は、突き出る動作に連動して前記収容部に積載された媒体と前記片面が印刷された媒体との間に突き出る延長突出部を有することを特徴とする請求項１から請求項７のいずれか１項に記載の画像形成装置。
【請求項９】
前記延長突出部は、導電性の部材で形成されていることを特徴とする請求項８に記載の画像形成装置。
【請求項１０】
前記突出部は、導電性の部材で形成されていることを特徴とする請求項１から請求項９のいずれか１項に記載の画像形成装置。
【発明の詳細な説明】
【技術分野】
【０００１】
本発明は、両面印刷を行う画像形成装置に関する。
【背景技術】
【０００２】
従来の画像形成装置は、両面印刷を行う際に、片面が印刷された媒体を排出ローラ対が媒体の一部を挟持した状態で排出トレイに一時退避させたあと、排出ローラ対が逆回転して媒体を反転させるスイッチバックの動作により、媒体のもう一方の面を印刷するようにしているものがある（例えば、特許文献１参照）。
【先行技術文献】
【特許文献】
【０００３】
【特許文献１】特開２００９−３３５２号公報
【発明の概要】
【発明が解決しようとする課題】
【０００４】
しかしながら、従来の画像形成装置においては、排出トレイに一時退避させた媒体に、排出トレイに積載された印刷済みの媒体が静電気等により吸着し、印刷済みの媒体が逆回転している排出ローラ対に巻き込まれてしまうという問題がある。
本発明は、このような問題を解決することを課題とし、排出トレイに積載された印刷済みの媒体が逆回転している排出ローラ対に巻き込まれてしまうことを抑制することを目的とする。
【課題を解決するための手段】
【０００５】
そのため、本発明は、印刷された媒体を積載するとともに、両面印刷の際に片面が印刷された媒体を一時退避させる収容部と、両面印刷の際に、前記片面が印刷された媒体の前記収容部へ搬送する方向の後端部を挟持した状態で搬送を止め、前記片面が印刷された媒体を前記収容部に一時退避させてから逆回転して搬送する搬送手段と、前記搬送手段が逆回転するときに前記収容部に積載された媒体と前記片面が印刷された媒体との間に突き出る突出部とを備えることを特徴とする。
【発明の効果】
【０００６】
このようにした本発明は、印刷済みの媒体が逆回転している排出ローラ対に巻き込まれることを抑制することができるという効果が得られる。
【図面の簡単な説明】
【０００７】
【図１】第１の実施例における画像形成装置を備える複合装置の構成を示す概略側面図
【図２】第１の実施例におけるストッパガイド近傍の説明図
【図３】第１の実施例におけるストッパガイドの斜視図
【図４】第１の実施例におけるストッパガイド近傍の断面図
【図５】第１の実施例における離間機構の動作を示す説明図
【図６】第１の実施例における離間機構の動作を示す説明図
【図７】第１の実施例における離間機構の動作を示す説明図
【図８】第２の実施例におけるストッパガイド近傍の説明図
【図９】第２の実施例における離間機構の動作を示す説明図
【図１０】第２の実施例におけるストッパガイド近傍の動作を示す断面図
【図１１】第２の実施例におけるストッパガイド近傍の動作を示す断面図
【図１２】第２の実施例における離間機構の動作を示す説明図
【図１３】第２の実施例におけるストッパガイド近傍の動作を示す断面図
【図１４】第２の実施例におけるストッパガイド近傍の動作を示す断面図
【図１５】第２の実施例における離間機構の動作を示す説明図
【図１６】第２の実施例におけるストッパガイド近傍の動作を示す断面図
【図１７】第２の実施例におけるストッパガイド近傍の動作を示す断面図
【発明を実施するための形態】
【０００８】
以下、図面を参照して本発明による画像形成装置の実施例を説明する。
【実施例１】
【０００９】
図１は、第１の実施例における画像形成装置を備える複合装置の構成を示す概略側面図である。
図１において、複合装置１００は、原稿を読み取って印刷データを生成する画像読み取り装置１０２と、画像読み取り装置１０２が生成した印刷データに基づいて用紙２１に印刷するプリンタ１０１とから構成されている。なお、プリンタ１０１と画像読み取り装置１０２は通信可能に接続されている。
画像形成装置としてのプリンタ１０１は、画像読み取り装置１０２から印刷データを受信し、受信した印刷データに基づいて静電潜像を形成し、形成した静電潜像を現像剤像に現像し、現像剤像を媒体としての用紙２１に転写して印刷するものである。
【００１０】
このプリンタ１０１は、用紙２１を収容する用紙カセット２と、用紙カセット２から用紙２１を１枚ずつ取り出して搬送路１５に給紙する給紙ローラ３と、用紙２１の有無を検知する媒体検知センサ４、７、３８および３９と、搬送路１５に沿って配置され、用紙２１を搬送する搬送ローラ対５および６と、搬送された用紙２１に現像剤像を転写する画像形成ユニット８と、転写された現像剤像を用紙２１に定着させる定着ユニット９と、現像剤像が定着した用紙２１を排出トレイ２０に排出する排出ローラ対１０および１９と、プリンタ１０１の筐体であるプリンタカバー１４と、プリンタカバー１４の上面に形成された排出トレイ２０とにより構成されている。
【００１１】
また、プリンタ１０１は上述の構成に加えて、後述するスイッチバックの動作により反転させた用紙２１を搬送する経路である反転搬送路１３と、搬送路１５から反転搬送路１３に反転させた用紙２１を誘導するガイドセパレータ１１と、反転搬送路１３に沿って配置され、反転させた用紙２１を搬送する搬送ローラ対１２と、後述するストッパガイド３６とから構成されている。
用紙カセット２は、プリンタ１０１の下部に配置され、用紙２１を積層して収納する。
給紙ローラ３は、用紙カセット２から用紙２１を１枚ずつ取り出し、搬送路１５を介して画像形成ユニット８に給紙するものであり、図示しないモータにより回転駆動され、さらに内部に図示せぬワンウェイクラッチ機構を内蔵しているため回転駆動が停止した場合でも図中矢印Ｂで示す回転方向には空転可能となっている。
【００１２】
搬送路１５は、用紙カセット２から画像形成ユニット８および定着ユニット９を経て排出トレイ２０まで用紙２１を搬送する経路である。
媒体検知センサ４および７は、搬送ローラ対５および６の図中矢印Ｆで示す搬送方向における上流側にそれぞれ配置され、用紙２１の有無を検知する。
搬送ローラ対５および６は、搬送路１５に沿って配置されており、図示しないモータにより回転駆動し、媒体検知センサ４および７が用紙２１を検知した信号に基づいて用紙２１を搬送する。また、搬送ローラ対５および６は、用紙２１の傾き（スキュー）を補正するスキュー矯正機構を有している。
【００１３】
画像形成ユニット８は、プリンタ１０１の中心部に配置され、印刷データに基づいて形成した現像剤像を用紙２１に転写する。
定着ユニット９は、画像形成ユニット８の図中矢印Ｆで示す搬送方向における下流側に配置され、ローラにより用紙２１を挟持し、熱と圧力を加えながら搬送して用紙２１に転写された現像剤像を定着させる。
媒体検知センサ３８は、排出ローラ対１９の図中矢印Ｆで示す搬送方向における上流側に配置され、用紙２１の有無を検知する。
搬送手段としての排出ローラ対１０および１９は、媒体検知センサ３８の図中矢印Ｆで示す搬送方向における下流側に配置され、用紙２１を排出トレイ２０に搬送する。
また、排出ローラ対１０および１９は、両面印刷の際にスイッチバックの動作を行う。
【００１４】
スイッチバックとは、両面印刷の際に、片面が印刷された用紙２１の排出トレイ２０へ搬送する方向（図中矢印Ｆで示す搬送方向）の後端部を挟持した状態で搬送を止め、前記片面が印刷された用紙２１を排出トレイ２０に一時退避させてから逆回転して図中矢印Ｅで示す反転搬送方向に搬送する動作をいう。
搬送切り替え部としてのガイドセパレータ１１は、搬送路１５と反転搬送路１３との分岐部に配置され、定着ユニット９により搬送された用紙２１を排出トレイ２０に誘導するものである。
また、ガイドセパレータ１１は、後述する駆動部３１により回動させられるものであり、両面印刷の際に排出ローラ対１０が逆回転すると同時に図中矢印Ｅで示す反転搬送方向に搬送される片面が印刷された用紙２１を反転搬送路１３に誘導する位置に切り替わる。
【００１５】
突出部としてのストッパガイド３６は、樹脂で形成され、排出ローラ対１０の近傍に配置されている。このストッパガイド３６は、排出トレイ２０に一時退避させた用紙２１が排出トレイ２０に積載された印刷済み用紙２２を静電気等により吸着し、逆回転する排出ローラ対１０に印刷済み用紙２２が巻き込まれることを防ぐために、排出ローラ対１０が逆回転するときに駆動部３１がガイドセパレータ１１を切り替える駆動に連動して、排出トレイ２０に積載された印刷済み用紙２２と片面が印刷された用紙２１との間に突き出るものである。また、ストッパガイド３６は、後述する離間機構４０を構成するものであり、詳細については後述する。
【００１６】
反転搬送路１３は、スイッチバックの動作により排出ローラ対１０が逆回転して図中矢印Ｅで示す反転搬送方向に搬送される片面が印刷された用紙２１を画像形成ユニット８に搬送する経路であり、搬送路１５と反転搬送路１３との分岐部から定着ユニット９および画像形成ユニット８の下を通り、搬送ローラ対５の図中矢印Ｆで示す搬送方向における上流側で搬送路１５に接続する。また、反転搬送路１３は、用紙２１を搬送する複数の搬送ローラ対１２を有している。
媒体検知センサ３９は、ガイドセパレータ１１の図中矢印Ｅで示す反転搬送方向における下流側に配置され、用紙２１の有無を検知する。
【００１７】
収容部としての排出トレイ２０は、プリンタ１０１の筐体であるプリンタカバー１４の上面に形成されており、排出ローラ対１０が排出した印刷済み用紙２２を積載するとともに、両面印刷の際に片面が印刷された用紙２１を一時退避させる。
また、排出トレイ２０は、印刷済み用紙２２を積載する載置面２０ａと、印刷済み用紙２２の一端が突き当たる突き当て部２０ｂとにより構成されている。
画像読み取り装置１０２は、プリンタ１０１の上方に配置されており、ＣＣＤ（Ｃｈａｒｇｅ  Ｃｏｕｐｌｅｄ  Ｄｅｖｉｃｅ）イメージセンサやＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージセンサなどに構成されている受光素子により原稿の画像を読み取るものである。
【００１８】
この画像読み取り装置１０２は、スキャナユニット１６と、スキャナカバー１７と、ＡＤＦ（Ａｕｔｏ  Ｄｏｃｕｍｅｎｔ  Ｆｅｅｄｅｒ）１８とにより構成されている。
スキャナユニット１６は、原稿をガラス台に固定するＦＢ（ＦｌａｔＢｅｄ）を備えており、ＣＣＤイメージセンサなどにより原稿を読み取るものである。
スキャナカバー１７は、スキャナユニット１６のＦＢを覆うものである。
ＡＤＦ１８は、スキャナカバー１７の上部に一体となって構成されており、載置された複数ページの原稿を搬送するものである。スキャナユニット１６は、ＡＤＦ１８が搬送した原稿の画像を１ページ毎に読み取るようになっている。
【００１９】
図５は、第１の実施例における離間機構の動作を示す説明図である。
ここでは、図５に基づいて離間機構４０の構成について説明する。
図５において、離間機構４０は、ガイドセパレータ１１を回動させるための駆動部３１による鉛直方向の往復運動（図６中の矢印Ｇおよび図７中の矢印Ｌで示す方向の駆動）をラック・アンド・ピニオンの機構により水平方向の往復運動（図６中の矢印Ｋまたは図７中の矢印Ｑで示す方向の駆動）に変換し、一時退避させた用紙２１と排紙トレイ２０に積載された印刷済み用紙２２との間にストッパガイド３６を突出させるものである。
【００２０】
なお、鉛直方向の往復運動を水平方向の往復運動に変換する機構をラック・アンド・ピニオンとしたが、それに限られることなく、一端が駆動部３１に取り付けられ、他端がストッパガイド３６に係合するリンク機構などとしてもよい。
この離間機構４０は、鉛直方向に往復運動する駆動部３１に取り付けられているリンク３４と、ラックを有するリンク３４に伝達する鉛直方向の往復運動を水平方向の往復運動に変換するピニオンである２段アイドルギヤ３５と、ラックを有することで２段アイドルギヤ３５により水平方向に往復運動し、一時退避させた用紙２１と排紙トレイ２０に積載された印刷済み用紙２２との間に突出させるストッパガイド３６とにより構成されている。
【００２１】
駆動手段としての駆動部３１は、ソレノイドなどのアクチュエータであり、ガイドセパレータ１１を回動させるために鉛直方向に往復運動をする。また、駆動部３１は、スプリングなどの付勢部材３２を備えている。
駆動部３１は、両面印刷の際に図中矢印Ｆで示す搬送方向へ搬送されている、片面が印刷された用紙２１が媒体検知センサ３８を通過したときに、ＯＮとなる。
ＯＮになった駆動部３１は、図６に示すように、図６中の矢印Ｇで示す方向に駆動する。このとき、駆動部３１はガイドセパレータ１１を図６中の矢印Ｈで示す方向に回動させ、図６中矢印Ｅで示す反転搬送方向に搬送される用紙２１を反転搬送路１３へ誘導する位置に切り替える。
【００２２】
駆動部３１は、片面のみの印刷のときに、または、図７に示すように、両面印刷の際に図７中矢印Ｅで示す搬送方向へ搬送されている、片面が印刷された用紙２１が媒体検知センサ３９を通過したときに、ＯＦＦとなる。
ＯＦＦになった駆動部３１は、付勢部材３２により図７中矢印Ｌで示す方向に付勢する。このとき、駆動部３１はガイドセパレータ１１を図７中矢印Ｍで示す方向に回動させ、定着ユニット９により搬送された用紙２１を排出トレイ２０に誘導する位置に切り替える。
また、駆動部３１をＯＮあるいはＯＦＦにすることで発生する駆動は、駆動部３１に取り付けられたリンク３４に伝達する。
【００２３】
ラック部材としてのリンク３４は、Ｌ字型にした平板状の棒であり、駆動部３１に取り付けられている。このリンク３４は、駆動部３１に取り付けられている部分から２段アイドルギヤ３５の方向に伸ばされており、伸ばされた平板状の棒の一部にラック３４ａを有している。このラック３４ａは、２段アイドルギヤ３５の小ギヤ３５ｂと噛合する。
ピニオン部材としての２段アイドルギヤ３５は、同軸上に一体となって構成されている大ギヤ３５ａおよび小ギヤ３５ｂを有しており、小ギヤ３５ｂが鉛直方向に延びるラック３４ａと噛合し、大ギヤ３５ａが水平方向に延びるストッパガイド３６のラック３６ａに噛合するように配置される。このように配置することで、駆動部３１の鉛直方向の往復運動がリンク３４を介して小ギヤ３５ｂに伝達することで回転し、小ギヤ３５ｂと一体となって回転する大ギヤ３５ａはストッパガイド３６を水平方向に往復運動させる。
【００２４】
なお、ストッパガイド３６の水平方向の移動量を増大させるために、２段アイドルギヤ３５の小ギヤ３５ｂと大ギヤ３５ａのギヤ比を大きくしてもよい。
図２は、第１の実施例におけるストッパガイド近傍の説明図であり、図５中の矢印Ａで示す方向から見たときのストッパガイド３６近傍を示している。
排出ローラ対１０は、２つの排出ローラを当接させて構成されており、下方に位置する排出ローラは回転軸１０ａおよび弾性体１０ｂと、上方に位置する排出ローラは回転軸１０ｃおよび弾性体１０ｄとにより構成されている。
【００２５】
排出サブローラ３７は、回転軸１０ａを軸として、弾性体１０ｂの両側面に配置されており、図示せぬ弾性体の一部を圧入して用紙排出時に用紙２１をはたき落とす機能を有している。
図３は、第１の実施例におけるストッパガイドの斜視図であり、図１および図２で示したストッパガイド３６の斜視図を示している。
図４は、第１の実施例におけるストッパガイド近傍の断面図であり、図２におけるＣ−Ｃ断面図である。なお、図４は片面が印刷された用紙２１を排出トレイ２０に一時退避させているときの状態（図５に示す状態）を示している。
【００２６】
図４に示したように、ストッパガイド３６は、突出部３６ｂと、伝達部３６ｃと、伝達部３６ｃの一部に形成されている図５で示すラック３６ａとにより構成されており、排出ローラ対１０および排出サブローラ３７に接触しないように配置されている。
突出部３６ｂは、回転軸１０ａよりも図中矢印Ｆで示す搬送方向側に位置している。
また、排出ローラ対１０の弾性体１０ｂの図中矢印Ｆで示す搬送方向における表面は、突出部３６ｂよりも図中矢印Ｆで示す搬送方向側に位置している。
伝達部３６ｃは、回転軸１０ａよりも上方に配置されている。
ラック３６ａは、伝達部３６ｃの下部の一部に形成されている。
【００２７】
上述した構成の作用について説明する。
図５、図６および図７は、第１の実施例における離間機構の動作を示す説明図である。
図５、図６および図７に加えて図１に基づいて両面印刷の際に行うスイッチバックの動作時の離間機構４０の動作を説明する。
まず、図１に示すように、用紙カセット２に収納されている用紙２１は、給紙ローラ３により１枚ずつ分離されて搬送され、画像形成ユニット８および定着ユニット９によって片面が印刷される。
【００２８】
図５は、片面が印刷された用紙２１が図中矢印Ｆで示す搬送方向に搬送され、排出トレイ２０に一時退避する動作を示している。また、排出トレイ２０には複数の印刷済み用紙２２が積載されている。
このとき、ガイドセパレータ１１は、駆動部３１がＯＦＦとなっており、付勢部材３２により図中矢印Ｌで示す方向に付勢され、図中矢印Ｆで示す搬送方向に搬送される用紙２１を排出トレイ２０に誘導する位置になる。
また、一時退避させた用紙２１の図中矢印Ｆで示す搬送方向における先端部は、排出トレイ２０に積載されている印刷済み用紙２２に接触する。
【００２９】
この後、図中矢印Ｆで示す搬送方向に搬送される用紙２１が媒体検知センサ３８を通過すると、駆動部３１がＯＮとなり図６中の矢印Ｇで示す方向に駆動すると同時に排出ローラ対１０および１９はスイッチバックの動作を開始する。
図６に示すように、一時退避させた用紙２１は、駆動部３１が図中矢印Ｇで示す方向に駆動することで図中矢印Ｈに示す方向に回動したガイドセパレータ１１に誘導されて図中矢印Ｅで示す反転搬送方向に搬送される。
また、駆動部３１がＯＮとなり図中矢印Ｇで示す方向に駆動するのと連動して、離間機構４０によりストッパガイド３６が図中矢印Ｋで示す方向に突出する。
【００３０】
このように、排出トレイ２０に一時退避させた用紙２１を反転搬送方向に搬送する際に、排出トレイ２０に積載された印刷済み用紙２２と一時退避させた用紙２１との間にストッパガイド３６を突出させるようにしたことにより、一時退避させた用紙２１が印刷済み用紙２２を静電気により吸着していたとしても、一時退避させた用紙２１と印刷済み用紙２２を離間させるようにしたため、印刷済み用紙２２が逆回転している排出ローラ対１０に巻き込まれにくくすることができる。
また、排紙トレイ２０に多くの印刷済み用紙２２が積載されている場合でも、一時退避させた用紙２１が印刷済み用紙２２を静電気によりさらに吸着しやすい状況となるものの、一時退避させた用紙２１が排紙ローラ対１０に巻き込まれにくくすることができる。
【００３１】
次に、図７に示すように、用紙２１の図中矢印Ｅで示す反転搬送方向における後端部がガイドセパレータ１１を通過すると、駆動部３１はＯＦＦになる。駆動部３１が付勢部材３２の付勢により図中矢印Ｌで示す方向に駆動するのに伴って、ストッパガイド３６は離間機構４０により図中矢印Ｑで示す方向に駆動し、図５で示した位置に戻る。
以上説明したように、第１の実施例では、排出トレイに一時退避させた用紙を反転搬送方向に搬送する際に、排出トレイに積載された印刷済みの用紙と一時退避させた用紙との間にストッパガイドを突出させるようにしたことにより、印刷済みの用紙と一時退避させた用紙とを離間させるようにしたため、排出トレイに積載された印刷済みの媒体が逆回転している排出ローラ対に巻き込まれてしまうことを抑制することができるという効果が得られる。
【実施例２】
【００３２】
第１の実施例では、排出トレイ２０に一時退避させた用紙２１を反転搬送方向に搬送する際に、排出トレイ２０に積載された印刷済み媒体２２と一時退避させた用紙２１との間にストッパガイド３６を突出させるようにしたが、本実施例ではストッパガイド３６を変形させ部材を追加することで、印刷済みの媒体と一時退避させた媒体とをより確実に離間させるようにしている。
図８、図１０および図１１に基づきながら本実施例のストッパガイド４６近傍の構成を説明する。
なお、上述した第１の実施例と同様の部分は、同一の符号を付してその説明を省略する。また、ストッパガイド４６近傍の動作については後述する。図８、図１０および図１１は、片面が印刷された用紙２１を排出トレイ２０に一時退避させているときの状態（図９に示す状態）を示している。
【００３３】
図８は、第２の実施例におけるストッパガイド近傍の説明図であり、図９中の矢印Ａで示す方向から見たときのストッパガイド４６近傍を示している。
図８に示すように、ストッパガイド４６は、第１の実施例のストッパガイド３６を変形させ、突起部４６ｄおよび４６ｅを設けている。
ストッパガイド４６の突き出す方向における先端に設けられた突起部４６ｄおよび４８ｅには、突き出る動作に連動して排出トレイ２０に積載された印刷済み用紙２２と片面が印刷された用紙２１との間に突き出るプレートサポートが取り付けられている。
【００３４】
延長突出部としてのプレートサポートは、プレートサポート４７および４９と、プレートサポート４７および４９にそれぞれ収納されているプレートサポート４８および５０により構成されている。また、各プレートサポートは樹脂により形成されている。
図１０は、第２の実施例におけるストッパガイド近傍の動作を示す断面図であり、図８におけるＤ−Ｄ断面図である。
図１０において、突起部５１は、プリンタ１０１に固定されており、ストッパガイド４６の上方に設けられている。
【００３５】
プレートサポート４７は、図中における上端を突起部５１に回転可能に軸支されており、収納しているプレートサポート４８を長手方向にスライドさせて突出できるようにしている。
プレートサポート４８は、図中における上端側でストッパガイド４６の突起部４６ｄと回転可能に係合されている。
このように構成することで、ストッパガイド４６が突出した際に、図１３に示すように、ストッパガイド４６に連動して、プレートサポート４７が図中矢印Ｒで示す方向に回動しながらプレートサポート４８がスライドして突出し、反転している用紙２１に接触する。
【００３６】
図１１は、第２の実施例におけるストッパガイド近傍の動作を示す断面図であり、図８におけるＥ−Ｅ断面図である。
図１１において、排出トレイ２０には、突き当て部２０ｂの一部を変形させた突起部２０ｃが設けられている。
プレートサポート４９は、図中における下端を突起部２０ｃに回転可能に軸支されており、収納しているプレートサポート５０を長手方向にスライドさせて突出できるようにしている。
【００３７】
プレートサポート５０は、図中における上端側でストッパガイド４６の突起部４６ｅと回転可能に係合されている。
このように構成することで、ストッパガイド４６が突出した際に、図１４に示すように、ストッパガイド４６に連動して、プレートサポート４９が図中矢印Ｔで示す方向に回動しながらプレートサポート５０がスライドして突出し、反転している用紙２１に静電気により吸着された印刷済み用紙２２と接触する。
【００３８】
上述した構成の作用について説明する。
図９から図１７は、第２の実施例における離間機構の動作を示す説明図および第２の実施例におけるストッパガイド近傍の動作を示す断面図である。
図９から図１７に基づいて両面印刷の際に行うスイッチバックの動作時のストッパガイド４６とプレートサポート４７、４８、４９、５０の動作を説明する。なお、ストッパガイド４６とプレートサポート４７、４８、４９、５０以外は第１の実施例の動作と同様であるため、その説明を省略する。
【００３９】
図９は、第２の実施例における離間機構の動作を示す説明図である。
図９に示すように、片面が印刷された用紙２１が図中矢印Ｆで示す搬送方向に搬送され、排出トレイ２０に用紙２１を一時退避させる動作を示している。また、排出トレイ２０には複数の印刷済み用紙２２が積載されている。
図１０は、第２の実施例におけるストッパガイド近傍の動作を示す断面図であり、図９の状態における図８で示したＤ−Ｄ断面図である。
図１０に示すように、ストッパガイド４６が突出していないため、プレートサポート４８はプレートサポート４７に収納された状態である。
【００４０】
図１１は、第２の実施例におけるストッパガイド近傍の動作を示す断面図であり、図９の状態におけるＥ−Ｅ断面図である。
図１１に示すように、ストッパガイド４６は突出していないため、プレートサポート５０はプレートサポート４９に収納された状態である。
図１２は、第２の実施例における離間機構の動作を示す説明図である。
図１２に示すように、一時退避させた用紙２１は、駆動部３１が図中矢印Ｇで示す方向に駆動することで図中矢印Ｈに示す方向に回動したガイドセパレータ１１に誘導されて図中矢印Ｅで示す反転搬送方向に搬送されている。また、駆動部３１がＯＮとなり図中矢印Ｇで示す方向に駆動するのと連動して、離間機構４０によりストッパガイド４６が図中矢印Ｋで示す方向に突出している状態である。
【００４１】
図１３は、第２の実施例におけるストッパガイド近傍の動作を示す断面図であり、図１２の状態におけるＤ−Ｄ断面図である。
図１３に示すように、ストッパガイド４６が突出する動作に連動して、プレートサポート４７が図中矢印Ｒで示す方向に回動しながらプレートサポート４８がスライドして図中矢印Ｓで示す方向に突出し、反転している用紙２１に接触するようにする。
図１４は、第２の実施例におけるストッパガイド近傍の動作を示す断面図であり、図１２の状態におけるＥ−Ｅ断面図である。
図１４に示すように、ストッパガイド４６が突出する動作に連動して、プレートサポート４９が図中矢印Ｔで示す方向に回動しながらプレートサポート５０がスライドして図中矢印Ｖで示す方向に突出し、反転している用紙２１に静電気により吸着された印刷済み用紙２２と接触するようにする。
【００４２】
このように、排出トレイ２０に一時退避させた用紙２１を反転搬送方向に搬送する際に、排出トレイ２０に積載された印刷済み用紙２２と一時退避させた用紙２１との間にストッパガイド４６と連動させてプレートサポート４８および５０を突出させるようにしたことにより、一時退避させた用紙２１が印刷済み用紙２２を静電気により吸着していたとしても、プレートサポート４８が一時退避させた用紙２１と接触し、プレートサポート５０が印刷済み用紙２２と接触して、一時退避させた用紙２１と印刷済み用紙２２とを離間させるようにしたため、印刷済み用紙２２が逆回転している排出ローラ対１０に巻き込まれにくくすることができる。
【００４３】
図１５は、第２の実施例における離間機構の動作を示す説明図である。
図１５に示すように、用紙２１の図中矢印Ｅで示す反転搬送方向における後端部がガイドセパレータ１１を通過すると、駆動部３１はＯＦＦになる。駆動部３１が付勢部材３２の付勢により図中矢印Ｌで示す方向に駆動するのに伴って、ストッパガイド４６は離間機構４０により図中矢印Ｑで示す方向に駆動し、図９で示した位置に戻る。
図１６は、第２の実施例におけるストッパガイド近傍の動作を示す断面図であり、図１５の状態におけるＤ−Ｄ断面図である。
【００４４】
図１６に示すように、ストッパガイド４６が図中矢印Ｑの方向に駆動する動作に連動して、プレートサポート４８が図中矢印Ｗの方向にスライドしてプレートサポート４７に収納され、プレートサポート４７が図中矢印Ｘの方向に回動して、図１０で示す状態に戻る。
図１７は、第２の実施例におけるストッパガイド近傍の動作を示す断面図であり、図１５の状態におけるＥ−Ｅ断面図である。
図１７に示すように、ストッパガイド４６が図中矢印Ｑの方向に駆動する動作に連動して、プレートサポート５０が図中矢印Ｙの方向にスライドしてプレートサポート４９に収納され、プレートサポート４９が図中矢印Ｚの方向に回動して、図１１で示す状態に戻る。
【００４５】
以上説明したように、第２の実施例では、第１の実施例の効果に加えて、ストッパガイドの突出動作に連動して、ストッパガイドに取り付けられたプレートサポートが突き出すようにしたことにより、より確実に一時退避させた用紙２１と印刷済み用紙２２とを離間させるようにしたため、排出トレイに積載された印刷済みの媒体が逆回転している排出ローラ対に巻き込まれてしまうことを抑制することができるという効果が得られる。
なお、第１の実施例および第２の実施例では、ストッパガイドおよびプレートサポートは樹脂により形成されているとしたが、それに限られることなく、金属などの導電性を有したもので形成されるようにし、一時退避させる用紙および印刷済みの用紙に接触させて除電するようにし、印刷済みの用紙を一時退避させる用紙が吸着しないようにしてもよい。
【００４６】
また、ストッパガイドはガイドセパレータを切り替える駆動部と連動させるようにしたが、それに限られることなく、排出ローラ対を正逆回転させる図示せぬ回転駆動手段としてのモータを設け、このモータが排出ローラ対を逆回転させる駆動に連動させてもよく、あるいは、別の駆動部で動作させてもよい。
さらに、排出ローラ対の逆回転と同時にストッパガイドを突出させるようにしたが、それに限られることなく、排出ローラ対が逆回転する前にストッパガイドを突出させてもよい。
なお、第１の実施例および第２の実施例では、複合装置に備えた画像形成装置を例として説明したが、それに限られることなく、プリンタやファクシミリ装置などに備えることも可能である。
【符号の説明】
【００４７】
１０、１９  排出ローラ対
１１  ガイドセパレータ
１３  反転搬送路
１５  搬送路
２０  排出トレイ
２１  用紙
２２  印刷済み用紙
３１  駆動部
３６、４６  ストッパガイド
４７、４８、４９、５０  プレートサポート
１００  複合装置
１０１  プリンタ
１０２  画像読み取り装置
【図１】
2015105155.tif 000003
【図２】
2015105155.tif 000004
【図３】
2015105155.tif 000005
【図４】
2015105155.tif 000006
【図５】
2015105155.tif 000007
【図６】
2015105155.tif 000008
【図７】
2015105155.tif 000009
【図８】
2015105155.tif 000010
【図９】
2015105155.tif 000011
【図１０】
2015105155.tif 000012
【図１１】
2015105155.tif 000013
【図１２】
2015105155.tif 000014
【図１３】
2015105155.tif 000015
【図１４】
2015105155.tif 000016
【図１５】
2015105155.tif 000017
【図１６】
2015105155.tif 000018
【図１７】
2015105155.tif 000019